(57)【要約】本発明は、カバー（１６）に対する本ブロック（４４）の配置を容易化する装丁装置（１０）に関する。カバー（１６）は、後続の工程においてカバー（１６）へ本ブロック（４４）を取り付けるための前表紙パネル（２８）及び裏表紙パネル（３２）を有して構成される。装丁装置（１０）には、第一ガイド手段（４６）、第二ガイド手段（５６）、第一位置決めエレメント（５４）、及び第二位置決めエレメント（６２）が含まれる。第一ガイド手段（４６）は前表紙パネル（２８）の第一縁部（５８）をガイドするようになっている。第二ガイド手段（５８）は前表紙パネル（２８）の第二縁部（３７）をガイドするようになっている。第一位置決めエレメント（５４）は第一ガイド手段（４６）に可動に取り付けられ、かつ使用時に本ブロック（４４）の第一周縁面（６０）の少なくとも一部に接して支えるようになっている。第二位置決めエレメント（５６）は第二ガイド手段（５６）に可動に取り付けられ、かつ本ブロック（４４）の第二周縁面（６４）の少なくとも一部に接して支えるようになっている。
2013501642.tif 000002
【特許請求の範囲】
【請求項１】
前表紙パネル及び裏表紙パネルを有するカバーに対して本ブロックを容易に配置し、次いで該カバーへ本ブロック取り付ける装丁装置であって、
前表紙パネルの第一縁部をガイドするようになっている第一ガイド手段、
前表紙パネルの第二縁部をガイドするようになっている第二ガイド手段、
前記第一ガイド手段へ可動に取り付けられ、かつ使用時に本ブロックの第一周縁面の少なくとも一部に接して支えるようになっている第一位置決めエレメント、及び
前記第二ガイド手段へ可動に取り付けられ、かつ本ブロックの第二周縁面の少なくとも一部に接して支えるようになっている第二位置決めエレメントを備えて構成される前記装丁装置。
【請求項２】
前記本ブロックに、前フライシートと裏フライシートの間に接着される一束のルーズリーフが含まれることを特徴とする請求項１項記載の装丁装置。
【請求項３】
前記第一及び第二ガイド手段が組み合わされて本カバーが所定の位置に固定されるようになっていること特徴とする請求項１項または２項に記載の装丁装置。
【請求項４】
前記第一及び第二ガイド手段が相互に直角になすことを特徴とする請求項１〜３のいずれかに記載の装丁装置。
【請求項５】
装丁装置に第一、第二、及び第三バーを有するグリッド構造が含まれることを特徴とする請求項１〜４のいずれかに記載の装丁装置。
【請求項６】
前記バーが互いに間隔を空けて離され、かつ平行に構成されることを特徴とする請求項５項記載の装丁装置。
【請求項７】
前記バーが、第一バーが前表紙パネルの第一縁部を支持し、第二バーが背表紙パネルの少なくとも一部を支持し、及び第三バーが裏表紙パネルの第一縁部を支持するように形状化され、かつ配置されることを特徴とする請求項５または６に記載の装丁装置。
【請求項８】
前記グリッド構造にさらに第一及び第二レールが含まれ、これらレールがバーに対してほぼ直角に延びていて、バーと可動に固定されることを特徴とする請求項５〜７のいずれかに記載の装丁装置。
【請求項９】
前記両レールが、前表紙パネルの第二縁部及び対向縁部をそれぞれ支持するため、間隔を空けて離して配置されることを特徴とする請求項８項記載の装丁装置。
【請求項１０】
前記レールによって、裏表紙パネルの第二縁部と、別の対向縁部もそれぞれ支持されることを特徴とする請求項８項または９項記載の装丁装置。
【請求項１１】
前記第二レールが、寸法の異なるカバーと適合させるためバーの長手方向に沿ってスライド可能に構成されることを特徴とする請求項８〜１０のいずれかに記載の装丁装置。
【請求項１２】
前記カバーにさらに前表紙パネル及び裏表紙パネルと相接する背表紙パネルが含まれることを特徴とする請求項１〜１１のいずれかに記載の装丁装置。
【請求項１３】
装丁装置の使用に際して、前記カバーが折り重ねられていない状態でグリッド構造上に載置されることを特徴とする請求項５〜１２のいずれかに記載の装丁装置。
【請求項１４】
前記第一ガイド手段に、前記第一バーへ取り付けられるブラケットが含まれることを特徴とする請求項５〜１３のいずれかに記載の装丁装置。
【請求項１５】
前記ブラケットが垂直部材と水平部材から成るＬ形状に構成されることを特徴とする請求項１４項記載の装丁装置。
【請求項１６】
前記垂直部材に、前記第一位置決めエレメントを可動に受け入れるようになっているスロットが含まれることを特徴とする請求項１５項記載の装丁装置。
【請求項１７】
前記第二ガイド手段に、使用時に前表紙パネルの第二縁部に接して支えるようになっている壁部が含まれることを特徴とする請求項９〜１６のいずれかに記載の装丁装置。
【請求項１８】
前記壁部が基部に対して垂直な直立位置に配置されることを特徴とする請求項１７項記載の装丁装置。
【請求項１９】
前記第一位置決めエレメントの少なくとも一部が、前記グリッド構造上に静置されているカバーの上方に位置することを特徴とする請求項５〜１８のいずれかに記載の装丁装置。
【請求項２０】
前記第一位置決めエレメントが、使用時に、前表紙パネルの第一縁部と本ブロックの第一周縁面との間に第一マージンを与えるように所望の位置へ調節可能であることを特徴とする請求項１〜１９のいずれかに記載の装丁装置。
【請求項２１】
前記第二位置決めエレメントの少なくとも一部が前記グリッド構造上に静置されているカバーの上方に位置することを特徴とする請求項５〜２０のいずれかに記載の装丁装置。
【請求項２２】
前記第二位置決めエレメントが、使用時に、前表紙パネルの第二縁部と本ブロックの第二周縁面との間に第二マージンを与えるように所望の位置へ調節可能であることを特徴とする請求項１〜２１のいずれかに記載の装丁装置。
【請求項２３】
前表紙パネルの対向縁部に接して支えるようになっている第三ガイド手段が含まれることを特徴とする請求項９〜２２のいずれかに記載の装丁装置。
【請求項２４】
前記第三ガイド手段に、前記第一及び第二バー上へ可動に取り付けられるようになっているブラケットが含まれることを特徴とする請求項２３項記載の装丁装置。
【請求項２５】
前記第三ガイド手段が固定手段を用いてバーへロックされることを特徴とする請求項２３項または２４項に記載の装丁装置。
【請求項２６】
前記固定手段に、バー上における第三ガイド手段のスライドを容易にするようになっているバイアス手段が含まれることを特徴とする請求項２５項記載の装丁装置。
【請求項２７】
前記固定手段に、１または２以上のスプリング負荷手段を備えるネジが含まれることを特徴とする請求項２５項または２６項に記載の装丁装置。
【請求項２８】
前記第三ガイド手段に、使用時に綴じられたペーパーのブロックを第二位置決めエレメントの方へ向け、それによってカバーに対して所望される位置へ該ブロックを置くようになっているベベルが含まれることを特徴とする請求項２３〜２７のいずれかに記載の装丁装置。
【請求項２９】
使用時に、本ブロックが一旦所望される位置に置かれたら、本ブロックの前フライシートがグリッド構造上に静置されているカバーの背表紙パネルの所定部分へ接着剤を介して取り付けられることを特徴とする請求項１〜２８のいずれかに記載の装丁装置。
【請求項３０】
使用時に、裏フライシートへ背表紙パネルの別の所定部分が接合されるように、裏表紙パネルが本ブロックの裏フライシート上へ折り重ねられることを特徴とする請求項２９項記載の装丁装置。
【請求項３１】
前記第一ガイド手段の垂直部材の高さが本ブロックの厚さよりも高く構成されることを特徴とする請求項１５〜３０のいずれかに記載の装丁装置。
【請求項３２】
使用時に裏表紙パネルが本ブロック上へ折り重ねられた時、裏表紙パネルの第一縁部が第一ガイド手段に接し、それによって裏表紙パネルの第一縁部と前表紙パネルの第一縁部との整合が得られることを特徴とする請求項１〜３１のいずれかに記載の装丁装置。
【請求項３３】
前記第二ガイド手段の壁部の高さが本ブロックの厚さよりも高くなるように構成されることを特徴とする請求項１７〜３２のいずれかに記載の装丁装置。
【請求項３４】
使用時に裏表紙パネルが本ブロック上へ折り重ねられた時、裏表紙パネルの第二縁部が第二ガイド手段に接し、それによって裏表紙パネルの第二縁部の前表紙パネルの第二縁部との整合が得られることを特徴とする請求項１〜３３のいずれかに記載の装丁装置。
【請求項３５】
前記背表紙パネルに、裏表紙パネルが裏フライシート上へ折り重ねられてプレスされる時に裏フライシートへ裏表紙パネルを接合させるようになっている別の接着部材が備えられることを特徴とする請求項２〜３４のいずれかに記載の装丁装置。
【請求項３６】
本願において添付図面のいずれかを参照して実質的に記載された装丁装置。
【発明の詳細な説明】
【技術分野】
【０００１】
本発明は、印刷物の製本に適する装丁装置、より具体的かつ非限定的には、製本工程において本カバーへ本ブロックを配置するための装丁装置に関する。
【背景技術】
【０００２】
一般的に、本ブロックを本カバーへ装丁する工程において、本ブロックを本カバーに対して所望される位置へ整然と固定する作業は困難な作業である。本ブロックの本カバーへの不適切あるいは不完全な接合は、本の全体的外観、従って本の見映えに重大な影響を及ぼす。
【発明の概要】
【発明が解決しようとする課題】
【０００３】
本発明は、上述した問題を克服あるいは改善する装丁装置、あるいは少なくとも有用な代替となる装丁装置を提供することを目的とする。
【課題を解決するための手段】
【０００４】
上記目的のため、本発明では、
前表紙パネルの第一縁部をガイドするようになっている第一ガイド手段、
前表紙パネルの第二縁部をガイドするようになっている第二ガイド手段、
前記第一ガイド手段へ可動に取り付けられ、かつ本ブロックの第一周縁面の少なくとも一部に接し支えるようになっている第一位置決めエレメント、及び
前記第二ガイド手段へ可動に取り付けられ、かつ本ブロックの第二周縁面の少なくとも一部に接し支えるようになっている第二位置決めエレメントから構成される、前表紙パネル及び裏表紙バネルを有するカバーへの本ブロックの接合を容易化し、次いで後続の工程においてカバーへ本ブロックを装丁する装丁装置が提供されている。
【０００５】
本ブロックに、前フライシート及び裏フライシート間に装丁された１個のルーズリーフを含めることも可能なことに注意されたい。このルーズリーフに光沢紙等の重みのある紙を含めることも可能である。
【０００６】
好ましくは、第一及び第二ガイド手段が組み合わされて、本カバーが所定の位置に固定される。より好ましくは、第一及び第二ガイド手段は互いに対してほぼ直角である。
【０００７】
本発明に係る装丁装置は、好ましくは第一、第二、及び第三バーを有するグリッド構造を含んで成る。これらのバーは好ましくは間隔を空けて相互に平行に構成される。前記バーは、第一バーによって前表紙パネルの第一縁部が、第二バーによって背表紙パネルの少なくとも一部が、及び第三バーによって裏表紙パネルの第一縁部がそれぞれ支えられるように形状化し、及び配置することが可能である。
【０００８】
前記グリッド構造にはさらに、好ましくは可動にバーと連結し、かつバーに対してほぼ直角に伸びる第一及び第二レールが含まれる。前記レールは前表紙パネルの第二縁部と対向縁部をそれぞれ支えるため、好ましくは間隔を空けて離して配置される。この実施態様においては、前記レールによって裏表紙パネルの第二縁部と別の対向縁部もそれぞれ支えられる。前記第二レールは、前記バーの長手方向に沿ってスライドでき、寸法の異なるカバーに適合するように設計される。
【０００９】
前記カバーには、好ましくは前表紙パネルと裏表紙パネルを取り付ける背表紙パネルが含まれることが理解されるべきである。本発明装置の使用時において、前記カバーは好ましくは折り畳まれていない状態で前記グリッド構造上へ静置される。
【００１０】
第一ガイド手段には、好ましくは第一バーへ取り付けられるブラケットが含まれる。この実施態様におけるブラケットは垂直部材と水平部材から成るＬ形状である。垂直部材には、好ましくは第一位置決めエレメントを可動に受け取るようになっているスロットが含まれる。
【００１１】
第二ガイド手段には、好ましくは前表紙パネル（及び裏表紙パネル）の第二縁部に接し支えるために使用するようになっている壁部が含まれる。この実施態様において、この壁部は基部に対してほぼ垂直な直立位置に配置される。
【００１２】
第一位置決めエレメントの少なくとも一部は、好ましくはグリッド構造上に静置されているカバーの上に位置するように配置される。好ましくは、第一位置決めエレメントは使用時に前表紙パネルの第一縁部と本ブロックの第一周縁面の間に第一マージンを与えるように所望される位置へ調節可能である。
【００１３】
同様に、第二位置決めエレメントの少なくとも一部が好ましくはグリッド構造の上に静置されるカバーの上に位置するように配置される。好ましくは、第二位置決めエレメントは使用時に前表紙パネルの第二縁部と本ブロックの第二周縁面の間に第二マージンを与えるように所望される位置へ調節可能である。
【００１４】
好ましくは、本発明に係る装置にはさらに、前表紙パネルの対向縁部に接し支えるようになっている第三ガイド手段が含まれる。好ましい実施態様において、第三ガイド手段には第一及び第二バーへ可動に取り付けられるようになっているブラケットが含まれる。第三ガイド手段は固定手段を用いてそれらバーへロック可能である。前記固定手段に、バー上における第三ガイド手段のスライドを容易にするようになっているバイアス手段を含めることも可能である。前記固定手段には、スプリング負荷手段を備える１又は２以上のネジを含めることも可能である。
【００１５】
便宜上、第三ガイド手段には、束ねたペーパーのブロックを第二位置決めエレメントの方へ向け、該ブロックをカバーに対して所望の位置へ配置するために用いるようになっているベベルが備えられる。
【００１６】
第三ガイド手段は、一旦本ブロックを所望の位置へ置いて、本ブロックの前フライシートを構造体上に静置されているカバーの背表紙パネルの所定の部分へ接着部材を介して取り付けるように意図されている。次いで背表紙パネルを本ブロックの裏フライシート上へ折り重ねて、背表紙パネルの別の所定部分を裏フライシートへ接着することが可能である。
【００１７】
第一ガイド手段の垂直部材の高さは好ましくは本ブロックの厚さよりも高く構成される。裏表紙パネルが本ブロック上へ折り重ねられた時、裏表紙パネルの第一縁部が第一ガイド手段に接して支えることにより裏表紙パネルの第一縁部を前表紙パネルの第一縁部と整合させることが可能である。
【００１８】
同様に、第二ガイド手段の壁部の高さは好ましくは本ブロックの厚さよりも高く構成される。裏表紙パネルが本ブロック上へ折り重ねられた時、裏表紙パネルの第二縁部が第二ガイド手段に接して支えることにより、裏表紙パネルの第二縁部を前表紙パネルの第二縁部と整合させることが可能である。
【００１９】
好ましくは、背表紙パネルには、裏表紙パネルが裏フライシート上へ折り重ねられてプレスされる時に裏表紙パネルを裏フライシートへ接着するようになっている別の接着部材が備えられる。
【図面の簡単な説明】
【００２０】
【図１】折り重ねられていない状態で配置された本カバーを支える本発明の好ましい実施態様に従った装丁装置の透視図である。
【図２】図１の装丁装置の第一ガイド及び位置決めエレメントの前方から見た透視図である。
【図３】図２の第一ガイド及び位置決めエレメントの後方から見た透視図である。
【図４】図１の装丁装置の平面図である。
【図５】本カバーが折り重ねられる状態を示した図１の装丁装置透視図である。
【発明を実施するための手段】
【００２１】
本発明は、以下に記載する非限定的な好ましい実施態様についての記載からさらに理解される。図１に示すように、装丁装置１０によって、前表紙パネル２８、背表紙パネル３０、及び裏表紙パネル３２からなる折りたたんでいない状態の本カバー１６が支持される。この本カバー１６は、前フライシート６６と裏フライシート６８の間にある１束のルーズリーフから成る本ブロック４４へ接着される。ルーズリーフとフライシート６６、６８はスチールステッチあるいはステープルによって綴じられる。この実施態様におけるルーズリーフには、写真用の光沢紙が含まれる。
【００２２】
本発明装置１０は、第一バー２０、第二バー２２、及び第三バー２４を備えるグリッド構造を成し、これらバーはそれぞれ相互に間隔を空けて平行に構成される。第一バー２０によって前表紙パネル２８の側縁部５８が支えられる。第二バー２２は第一バー２０と第三バー２４の間に位置し、第二バー２２によって背表紙パネル３０が支えられる。第三バー２４によって裏表紙パネル３２の側縁部９２が支えられる。
【００２３】
グリッド構造にはさらに、バー２０、２２、２４のそれぞれと連結し、かつ直角に交わって延びる第一及び第二交差レール３６、３８が含まれる。これらレール３６、３８は間隔を空けて離して配置され、前表紙パネル２８の上側縁部３５及び下側縁部３７（図４参照）、さらに裏表紙パネル３２の上側縁部４０及び下側縁部４２（図４参照）を支える。レール３８は、寸法の異なるカバーに適合するようにバー２０、２２、２４の長手方向に沿ってスライド可能である。図４に最も示されるように、パネル２８、３０、３２はグリッド構造によって支えられ、その上へ本ブロック４４を直ぐに配置できるようになっている。
【００２４】
装丁装置１０は、バー２０へ可動に連結されるガイド手段を有する。図２及び３に示すように、ガイド手段はバー２０へ取り付けられ、使用時に前表紙パネル２８（図１参照）の側縁部５８をガイドするブラケット４６形状を成している。ブラケット４６は垂直部材４８及び水平部材５０から成るＬ形状を呈している。垂直部材４８にはプレート５４形状の可動位置決めエレメントを受けるためのスロット５２が設けられる。
【００２５】
図１及び４に示すように、本発明に係る装丁装置１０はさらに、使用時に前表紙パネル２８及び裏表紙パネル３２の上側縁部３５及び４０をガイドし、及び接し支える壁部５６に形状化された別のガイド手段を有する。壁部５６はグリッドに対してほぼ垂直に直立状態で配置される。
【００２６】
図４に示すように、使用時には、プレート５４によって本ブロック４４の周縁面６０の一部が接し支えられる。同様に、プレート６２形状の位置決めエレメントは壁部５６へ可動に取り付けられ、該エレメントによって本ブロック４４の第二周縁面６４が接し支えられる。
【００２７】
図１に最もよく示されているように、プレート５４は基部上に静置されるカバー１６の上方に位置している。図３及び４に示すように、プレート５４は図３及び４中の矢印Ａ−Ａによって示されるように、使用時に所望の位置へ前後に移動させて前表紙パネルの側壁５８（図４参照）と本ブロック４４の第一周縁面６０との間にマージン（ゆとり）Ｂ−Ｂを設けるように調節可能である。
【００２８】
同様に、プレート６２は基部上に静置しているカバー１６の上方に位置している。プレート６２は、矢印Ｃ−Ｃ（図４参照）によって示されるように、使用時に所望の位置へ前後に移動させて前表紙パネルの上側縁部３５と本ブロック４４の第二周縁面６４との間にマージンＤ−Ｄを設けるように調節可能である。プレート５４及び６２は互いに対してほぼ直角である。
【００２９】
図４に示すように、本発明に係る装丁装置１０にはさらにＬ形状のブラケット７０に形態化されたガイド手段が設けられる。このブラケット７０によって、使用時に前表紙パネル２８の下側縁部７２が接し支えられる。ブラケット７０はバー２０及び２２へ可動に取り付けられる。ブラケット７０は、所望の位置まで移動させてから、ネジ７４及び７６等の固定手段によって適所に固定することができる。ネジ７４及び７６のそれぞれには、使用者がつまみ易いように頭部が大きくされたネジを有している。ブラケット７０は、本カバー１６への本ブロック４４の接着に際して、所望される位置への本ブロック４４の固定を補助する。
【００３０】
ブラケット７０には傾斜面をもつベベル７８が含まれる。ベベル７８は束ねられたペーパーの本ブロック４４をプレート６２の方へ向けて本ブロック４４を静置するために便利である。
【００３１】
次に本発明に係る装丁装置１０の操作方法について説明する。第一段階として、基部上へ本カバー１６を載置する。カバー１６は基部上へ折り重ねられていない状態で載置されなければならない。次いでカバー１６を、前表紙パネル２８の縁部５８及び３５がブラケット４６と壁部５６のそれぞれに接するように、ブラケット４６及び壁部５６に対して押し付ける。
【００３２】
本カバー１６が適所に置かれたら、ブラケット７０と前表紙パネル２８の縁部７２が接するようにする。これにより、カバー１６の適所への載置が確実となる。
【００３３】
次いでプレート５４及び６２はそれぞれ所望される位置に調節される。そのために、プレート５４及び６２がそれぞれ所望される位置へ前後にスライドできるように、頭部が大きく形成されたネジ８２、８４、８６、８８及び９０が緩められる。プレート５４及び６２それぞれの位置は、所望されるマージンＢ−Ｂ及びＤ−Ｄによって決められる。プレート５４及び６２の組み合わせにより、本ブロック４４が前表紙パネル２８及び裏表紙パネル３２に対して所望される位置に固定される。
【００３４】
プレート５４及び６２が一旦適正な位置に固定されれば、本ブロック４４をカバー１６の前表紙パネル２８上へ置くことができる。本ブロック４４は、本ブロック４４の下側縁部８４がベベル７８と揃うように置かれなければならない。これにより、本ブロック４４は壁部５６の方へ向けられ、本ブロック４４の周縁面６４とプレート６２が接するようになる。同時に、本ブロック４４はブラケット４６に向けて側方へ押され、周縁面６０がプレート５４に接する。
【００３５】
図１に示すように、上述した工程は、本ブロック４４の後端部８６に近い前フライシート６６が背表紙パネル３０上に設けられた接着部材８８との尚早な接合を防止できるように機敏に実施されなければならない。接着部材８８はテープ９０ａによって保護されており、本ブロック４４がカバー１６との接合位置についたときにテープが剥がされて接着材が露出される。  
【００３６】
図５に示すように、背表紙パネル３０上に設けられた別の接着部材９０ｂ（図１参照）の裏フライシート６８への接合を行うために、裏表紙パネル３２が裏フライシート６８上へ折り重ねられて装丁工程が完了する。前表紙パネル２８の裏表紙パネル３２との整合を容易にするため、裏表紙パネル３２の側方縁部９２がブラケット４６の上部９４と接するようにされる。
【００３７】
図１と図２から、ブラケット４６の垂直部材４８の高さが本ブロック４４の厚さよりも高いことが理解されるべきである。裏表紙パネル３２が本ブック４４上へ折り重ねられた時、裏表紙パネル３２の側方縁部９２が側方へ押されてブラケット４６の上部９４（図１及び５参照）に接することにより、裏表紙パネル３２の前表紙パネル２８との正確な整合が得られる。
【００３８】
同様に、壁部５６の高さは本ブロック４４の厚さよりも高くされている。裏表紙パネル３２が本ブロック４４上へ折り重ねられた時、裏表紙パネル３２の上側縁部４０は壁部５６に接する。
【００３９】
以上、本発明の好ましい実施態様について詳細に説明した。本発明に係る装丁装置が少なくとも下記利点を提供できることは当業者に明らかであろう。
１．     使用が簡単かつ容易であり、要求される技術、熟練度及び時間も最小限である。
２．     本ブロックのカバーへの接合を高度な正確性をもって迅速に遂行できる。
３．     優れた耐久性のある装丁が為された本に製本可能である。
【００４０】
本発明は本願に記載した特定の態様の他に変形及び変形可能なことは当業者の理解するところである。これら変形及び変更は、上記記載から限定される本発明の範囲及び精神の範囲内含まれると考慮されなければならない。
【産業上の利用可能性】
【００４１】
本発明の装丁装置は工業的に適用可能であり、本装置により、本ブロックのカバーへの迅速な接合、及び高度な正確性をもって優れた耐久性のある装丁が為された本の製本が容易化される。
【図１】
2013501642.tif 000003
【図２】
2013501642.tif 000004
【図３】
2013501642.tif 000005
【図４】
2013501642.tif 000006
【図５】
2013501642.tif 000007
【国際調査報告】
2013501642.tif 000008
2013501642.tif 000009
2013501642.tif 000010